(57)【要約】【課題】ＬＴＥ通信方式に沿ってＥＶＭ又は送信電力測定の結果を、割当帯域と非割当帯域とに分けてそれぞれを識別可能に表示する移動体通信端末試験装置を提供する。【解決手段】通信チャネル及び割当帯域を示す制御情報を含む試験信号を移動体通信端末に送り、前記移動体通信端末が出力した試験信号を受信して出力された波形データを解析し所定の測定項目の測定値をシンボル単位で求め、求めたシンボル単位の測定値をグラフ表示し、かつ、該グラフ上の割当帯域と、前記通信チャネル内の非割当帯域とを識別可能に表示する。【選択図】図１
2011130086.tif 000002
【特許請求の範囲】
【請求項１】
通信チャネル及び前記通信チャネル内において移動体通信端末に割り当てられた割当帯域を示す制御情報を含む信号を前記移動体通信端末に送信する信号送信部（１２）と、
前記制御情報に基づいて前記移動体通信端末が出力した試験信号を受信して波形データとして出力する信号受信部（１４）と、
前記波形データを基に、所定の測定項目の測定値をシンボル単位で測定する信号解析部（１５）と、
ＬＴＥ通信方式に対応して、前記信号送信部、前記信号受信部及び前記信号解析部に、前記通信チャネルと、前記通信チャネルの帯域幅、及び、前記割当帯域の帯域幅を含む試験条件を通知する制御部（１１）と、
前記信号解析部で測定した測定値を表示する表示部（１７）と、
前記表示部に、横軸を前記通信チャネルの帯域幅に対応する周波数方向のシンボル、縦軸を測定値とする座標を表示し、前記座標上に前記信号解析部による前記測定値をグラフ表示し、かつ該グラフ上の前記割当帯域と、前記通信チャネル内の前記割当帯域以外の帯域とを識別可能に表示する表示制御部（１６）とを備えることを特徴とする移動体通信端末試験装置。
【請求項２】
前記所定の測定項目は、前記通信チャネルの帯域内における理想変調信号に対する測定変調信号の位置ずれの度合いを示すＥＶＭまたは前記移動体通信端末の送信電力のいずれかであることを特徴とする請求項１に記載の移動体通信端末試験装置。
【請求項３】
通信チャネルと、前記通信チャネルの帯域幅と、前記通信チャネル内において移動体通信端末に割り当てられた割当帯域とを含む測定条件を基に、移動体通信端末に、ＬＴＥ通信方式に対応して、前記測定条件に基づく制御情報を含む信号を送信する送信ステップと、
前記制御情報に基づいて前記移動体通信端末が出力した試験信号を受信して波形データとして出力する波形データ出力ステップと、
前記波形データを基に、少なくとも前記割当帯域の範囲において所定の測定項目の測定値をシンボル単位で測定する測定ステップと、
横軸を前記通信チャネルの帯域幅に対応する周波数方向のシンボル、縦軸を前記測定値とする座標を表示する座標表示ステップと、
前記通信チャネルと、前記通信チャネルの帯域幅と、前記割当帯域とを基に、前記割当帯域内のシンボルにおける前記測定値を、前記割当帯域を横軸の位置とし、前記測定値を縦軸の位置とする第１のグラフを前記座標上に表示する測定値表示ステップとを備えることを特徴とする試験結果表示方法。
【請求項４】
前記測定ステップにおいて、更に、前記通信チャネル内の前記割当帯域以外の非割当帯域における信号の測定値をシンボル単位で測定し、
前記測定値表示ステップにおいて、更に、前記非割当帯域内のシンボルを横軸の位置とし、前記非割当帯域における信号の測定値を縦軸の位置とする第２のグラフを、前記第１のグラフと識別可能に、前記座標上に表示することを特徴とする請求項３に記載の試験結果表示方法。
【請求項５】
前記測定値表示ステップにおいて、前記第１のグラフと、前記第２のグラフとのうち、少なくともいずれか一方に色をつけて表示することを特徴とする請求項４に記載の試験結果表示方法。
【請求項６】
前記測定値表示ステップにおいて、前記第１のグラフを表示する領域と、前記第２のグラフを表示する領域とのうち、少なくともいずれか一方に色をつけて表示することを特徴とする請求項４又は請求項５に記載の試験結果表示方法。
【請求項７】
前記所定の測定項目は、前記通信チャネルの帯域内における理想変調信号に対する測定変調信号の位置ずれの度合いを示すＥＶＭまたは前記移動体通信端末の送信電力のいずれかであることを特徴とする請求項３乃至請求項６のいずれかに記載の試験結果表示方法。
【発明の詳細な説明】
【技術分野】
【０００１】
本発明は、例えば被測定物或いは被測定信号を測定し、その測定データを表示する試験装置に関する。特に、本発明は、移動体通信端末からの信号を測定し、該信号のチャネル内において移動体通信端末に割当てた割当帯域における測定結果と、該チャネル内の割当帯域以外の帯域における測定結果とを、それぞれ識別可能に表示する試験装置に関する。
【背景技術】
【０００２】
移動体通信端末の送受信特性を試験する移動体通信端末試験装置が従来から知られている。この移動体通信端末試験装置は、移動体通信端末へ信号を送信する送信部と、移動体通信端末からの信号を受信する受信部とを有し、疑似基地局として動作することで、移動体通信端末と信号を送受信することで、該移動体通信端末の試験を行っている。
【０００３】
移動体通信端末の試験項目としては、移動体通信端末からの信号の帯域（以下「帯域チャネル」と呼ぶ）内における理想変調信号に対する測定変調信号の位置ずれの度合いを測定するＥＶＭ（Ｅｒｒｏｒ  Ｖｅｃｔｏｒ  Ｍａｇｎｉｔｕｄｅ）測定が知られている。
【０００４】
例えば、特許文献１には、移動体通信端末からの信号のレベルを測定する移動体通信端末試験装置が公開されている。
【０００５】
一方で、次世代の移動体通信規格であるＬＴＥ（Ｌｏｎｇ  Ｔｅｒｍ  Ｅｖｏｌｕｔｉｏｎ）では、複数のチャネル幅（１．４ＭＨｚ、３ＭＨｚ、５ＭＨｚ、１０ＭＨｚ、１５ＭＨｚ、又は、２０ＭＨｚ）が３ＧＰＰの規格で規定されている。
【０００６】
ＬＴＥでは、通信方式として周波数分割多重方式が採用されており、これにより、帯域チャネルのうち実際に通信で使用される１つのチャネル（以下「送信チャネル」と呼び、送信チャネルの帯域幅を「送信チャネル幅」と呼ぶ）で複数の移動体通信端末の通信が多重される。そのため、１つの移動体通信端末が１つの送信チャネルの周波数帯域全てを使用することはほとんど無く、１つの移動体通信端末には、１つの送信チャネルの周波数帯域のうち、一部の周波数帯域が割り当てられて通信が行われる。この帯域の割当はＲＢ（Ｒｅｓｏｕｒｃｅ  Ｂｌｏｃｋ）と呼ばれる単位で行われる。
【０００７】
具体的には、ＬＴＥシステムでは、単位周波数帯域幅ΔＦ（例えば、ΔＦ＝１２のサブキャリア）の周波数範囲、及び単位時間幅（例えば、ΔＴ＝０．５ｍｓ＝１スロット＝７のシンボル数）のデータ束を１つのリソースブロック（以下、単に「ＲＢ」と言う。）とし、そのＲＢ単位で形成される、単位時間幅ΔＴと周波数帯域幅ｎΔＦ（ｎは１から始まる整数）からなるブロック（以下、「カレントブロック」と言う。ｎ＝１の場合は、カレントブロック＝ＲＢとなる。）を、時間経過と共に、周波数―時間領域にて、ディジタル通信信号をホッピング状に変化させて伝送している。言い換えれば、単位時間幅ΔＴ毎に、周波数帯域がＦ〜Ｆ＋ｎΔＦ（カレントブロックの周波数範囲）の周波数Ｆと帯域幅の大きさを示すｎの値が変化する。ただし、周波数Ｆは、単位時間幅ΔＴの２倍（２スロット）毎に変わる可能性がある。
【０００８】
また、単位時間幅ΔＴ毎に周波数の外にも、変調方式、伝送レート、パワー等の伝送条件を規定（これらを纏めて「伝送情報」と言う。）して伝送している。これらの伝送情報の変更は、伝搬状況に応じて伝送品質を確保するために局側からコントロールされて行われる。
【０００９】
なお、上記の伝送情報の一部は、ディジタル通信信号を規定するデータフォーマットに組み込まれている。以下、そのデータフォーマットについて説明しておく。ディジタル信号は、図７に示すようなデータフォーマットで伝送される。図７で１フレームは１０ｍｓ（ｍ秒）で、１０個のサブフレームで構成されている。その中にＰ−ＳＳ（第１の同期信号）やＳ−ＳＳ（第２の同期信号）を含むサブフレームが０番目と５番目に存在する。各サブフレームは、複数のＲＢで構成されている。各ＲＢは、図７（ｂ）に示すように時間軸方向に１スロットで構成され、１スロットは、時間軸に沿って７個のシンボルデータで構成される。１ＲＢの縦軸は、図７（ｂ）に示すようによう１２サブキャリアで構成されている。サブキャリアは１５ｋＨｚ間隔に設定されている。そして、ＲＢには、図７（ｂ）及び（ｃ）の模様で示すように各シンボルに搭載されるデータが決められている。図７（ｂ）及び（ｃ）で、Ｐ−ＳＳ（Ｐｒｉｍａｒｙ  ｓｙｎｃｈｒｏｎｉｚａｔｉｏｎ  ｓｉｇｎａｌ）、Ｓ−ＳＳ（Ｓｅｃｏｎｄａｒｙ  ｓｙｎｃｈｒｏｎｉｚａｔｉｏｎ  Ｓｉｇｎａｌ）は、ディジタル信号を同期して送受するのに用いられる第１の同期信号、第２の同期信号である。ＰＢＣＨ（Ｐｈｙｓｉｃａｌ  Ｂｒｏａｄｃａｓｔ  Ｃｈａｎｎｅｌ）、ＰＤＣＣＨ（Ｐｈｙｓｉｃａｌ  Ｄｏｗｎｌｉｎｋ  Ｃｏｎｔｒｏｌ  Ｃｈａｎｎｅｌ）、ＰＤＳＣＨ（Ｐｈｙｓｉｃａｌ  Ｄｏｗｎｌｉｎｋ  Ｓｈａｒｅｄ  Ｃｈａｎｎｅｌ）、及びＲＳ（Ｒｅｆｅｒｅｎｃｅ  Ｓｉｇｎａｌ）がある。中でも、ＰＤＣＣＨは、ＰＤＳＣＨの変調方式（例えば、ＱＰＳＫ変調、１６ＱＡＭ、６４ＱＡＭ等）、及びＲＢを制御するコントロール情報が含まれている。ＰＤＳＣＨには、ユーザのデータが含まれており、ＰＤＣＣＨで制御された変調方式で変調されている。なお、変調方式が変わるのは、その時の伝搬状況等により伝送品質を確保するためである。ＲＳは、基準信号とも言われ、無線端末（移動局）側の受信装置が復調する際の基準信号として使用されたり、伝搬路の等化（イコライゼーション）に使用されたりするものである。
【００１０】
また、アップリンクにおいては、変調方式としてＳＣ−ＦＤＭＡを用いる。ＳＣ−ＦＤＭＡでは、周波数ドメインの各サブキャリアを時間ドメインのシンボルに変換したうえで通信を行う。なお以降は、１スロットを時間ドメインに沿って構成するシンボル（１スロットに含まれる７シンボル）を「時間方向のシンボル」と呼び、各サブキャリアを周波数ドメインから時間ドメインに変換したシンボルを「周波数方向のシンボル」と呼ぶ。また、単に「シンボル」と呼ぶ場合、周波数方向のシンボルの位置及び時間方向のシンボルの位置により特定される、１つのシンボルを指すものとする。
【先行技術文献】
【特許文献】
【００１１】
【特許文献１】特開２００３−４６４３１号公報
【発明の概要】
【発明が解決しようとする課題】
【００１２】
従来（例えば、特許文献１）の移動体通信端末試験装置では、上述したＥＶＭ測定の結果が、一方の軸を周波数、他方の軸を測定値（信号のレベル又はＥＶＭ）とする２次元のグラフ上に表示される。このとき、該移動体通信端末試験装置は、周波数軸として移動体通信端末の送信チャネル幅全体を表示する。
【００１３】
ＬＴＥに沿ってＥＶＭ測定の結果を、移動体通信端末へ割当てられた帯域に該当するＲＢ（以下「割当帯域」と呼ぶ）における測定結果と、送信チャネル内の割当帯域以外の帯域に該当するＲＢ（以下「非割当帯域」と呼ぶ）における測定結果を表示しようとした場合、従来の方法では、双方の測定結果が混在して表示されることになる。
【００１４】
この場合、割当帯域における測定結果と非割当帯域における測定結果とが識別可能に表示されないため、試験者は表示されたグラフから割当帯域の測定値に該当する部分を遂次読出す必要があり、測定結果の解析や良否の判断に手間がかかっていた。
【００１５】
上記問題に対し、割当帯域の測定結果と非割当帯域の測定結果とを識別可能に表示する対処が考えられる。しかし、移動体通信端末が送信した信号には、割当帯域を示す制御情報が含まれていない。そのため、移動体通信端末試験装置が、移動体通信端末からの信号を、該信号に含まれる情報を基に、割当帯域に該当する部分と非割当帯域に該当する部分とに分けて、それぞれを識別することが困難であった。
【００１６】
本発明は上記の問題を解決するものであり、ＬＴＥにおけるＥＶＭ測定に関し、割当帯域における測定結果と非割当帯域における測定結果とを識別可能に表示する移動体通信端末試験装置及び試験結果表示方法の提供を目的とする。
【課題を解決するための手段】
【００１７】
上記目的を達成するために、請求項１に記載の発明は、通信チャネル及び前記通信チャネル内において移動体通信端末に割り当てられた割当帯域を示す制御情報を含む信号を前記移動体通信端末に送信する信号送信部（１２）と、前記制御情報に基づいて前記移動体通信端末が出力した試験信号を受信して波形データとして出力する信号受信部（１４）と、前記波形データを基に、所定の測定項目の測定値をシンボル単位で測定する信号解析部（１５）と、ＬＴＥ通信方式に対応して、前記信号送信部、前記信号受信部及び前記信号解析部に、前記通信チャネルと、前記通信チャネルの帯域幅、及び、前記割当帯域の帯域幅を含む試験条件を通知する制御部（１１）と、前記信号解析部で測定した測定値を表示する表示部（１７）と、前記表示部に、横軸を前記通信チャネルの帯域幅に対応する周波数方向のシンボル、縦軸を測定値とする座標を表示し、前記座標上に前記信号解析部による前記測定値をグラフ表示し、かつ該グラフ上の前記割当帯域と、前記通信チャネル内の前記割当帯域以外の帯域とを識別可能に表示する表示制御部（１６）とを備えることを特徴とする移動体通信端末試験装置である。
また、請求項２に記載の発明は、請求項１に記載の移動体通信端末試験装置であって、前記所定の測定項目は、前記通信チャネルの帯域内における理想変調信号に対する測定変調信号の位置ずれの度合いを示すＥＶＭまたは前記移動体通信端末の送信電力のいずれかであることを特徴とする。
また、請求項３に記載の発明は、試験結果表示方法であって、通信チャネルと、前記通信チャネルの帯域幅と、前記通信チャネル内において移動体通信端末に割り当てられた割当帯域とを含む測定条件を基に、移動体通信端末に、ＬＴＥ通信方式に対応して、前記測定条件に基づく制御情報を含む信号を送信する送信ステップと、前記制御情報に基づいて前記移動体通信端末が出力した試験信号を受信して波形データとして出力する波形データ出力ステップと、前記波形データを基に、少なくとも前記割当帯域の範囲において所定の測定項目の測定値をシンボル単位で測定する測定ステップと、横軸を前記通信チャネルの帯域幅に対応する周波数方向のシンボル、縦軸を前記測定値とする座標を表示する座標表示ステップと、前記通信チャネルと、前記通信チャネルの帯域幅と、前記割当帯域とを基に、前記割当帯域内のシンボルにおける前記測定値を、前記割当帯域を横軸の位置とし、前記測定値を縦軸の位置とする第１のグラフを前記座標上に表示する測定値表示ステップとを備えることを特徴とする。
また、請求項４に記載の発明は、請求項３に記載の試験結果表示方法であって、前記測定ステップにおいて、更に、前記通信チャネル内の前記割当帯域以外の非割当帯域における信号の測定値をシンボル単位で測定し、前記測定値表示ステップにおいて、更に、前記非割当帯域内のシンボルを横軸の位置とし、前記非割当帯域における信号の測定値を縦軸の位置とする第２のグラフを、前記第１のグラフと識別可能に、前記座標上に表示することを特徴とする。
また、請求項５に記載の発明は、請求項４に記載の試験結果表示方法であって、前記測定値表示ステップにおいて、前記第１のグラフと、前記第２のグラフとのうち、少なくともいずれか一方に色をつけて表示することを特徴とする。
また、請求項６に記載の発明は、請求項４又は請求項５に記載の試験結果表示方法であって、前記測定値表示ステップにおいて、前記第１のグラフを表示する領域と、前記第２のグラフを表示する領域とのうち、少なくともいずれか一方に色をつけて表示することを特徴とする。
また、請求項７に記載の発明は、請求項３乃至請求項６のいずれかに記載の試験結果表示方法であって、前記所定の測定項目は、前記通信チャネルの帯域内における理想変調信号に対する測定変調信号の位置ずれの度合いを示すＥＶＭまたは前記移動体通信端末の送信電力のいずれかであることを特徴とする。
【発明の効果】
【００１８】
本発明によれば、横軸を移動体通信におけるシンボル、縦軸をＥＶＭとする座標に対して、移動体通信端末からの信号のＥＶＭの測定値を、制御部から受信した少なくとも割当帯域を含む測定条件を基に、割当帯域における測定値と非割当帯域における測定値とに分けて、それぞれを識別可能に表示する。
【００１９】
これにより試験者は、表示されたグラフから割当帯域の測定値に該当する部分を容易に識別することが可能となり、測定結果の良否を容易に判断することが可能となる。
【図面の簡単な説明】
【００２０】
【図１】移動体通信端末試験装置の機能ブロック図である。
【図２】移動体通信端末試験装置の処理を示すフローチャートである。
【図３】シンボル単位のＥＶＭの測定結果として、割当帯域に該当するシンボルにおける測定値のみを表示し、割当帯域に該当するシンボルにおける測定値のグラフを表示する領域と、非割当帯域に該当するシンボルにおける測定値のグラフを表示する領域とを色分けして表示した場合の表示例である。
【図４】シンボル単位のＥＶＭの測定結果として、割当帯域に該当するシンボルにおける測定値のみを表示した場合の表示例である。
【図５】シンボル単位のＥＶＭの測定結果として、割当帯域に該当するシンボルにおける測定値のグラフと、非割当帯域に該当するシンボルにおける測定値のグラフとを色分けして表示した場合の表示例である。
【図６】シンボル単位のＥＶＭの測定結果として、割当帯域に該当するシンボルにおける測定値のグラフを表示する領域と、非割当帯域に該当するシンボルにおける測定値のグラフを表示する領域とを色分けして表示した場合の表示例である。
【図７】ディジタル通信におけるデータフォーマットを説明するための図である。
【発明を実施するための形態】
【００２１】
まず、本発明に係る移動体通信端末試験装置の構成について図１を参照しながら説明する。
【００２２】
（構成）
本発明に係る移動体通信端末試験装置１は、ＬＴＥ通信方式に対応した移動体通信端末２からの信号のＥＶＭを測定する移動体通信端末試験装置である。移動体通信端末試験装置１は、操作部１０と、制御部１１と、移動体通信端末２が試験信号を送信するための制御情報を移動体通信端末２に送信する信号送信部１２と、方向性結合器１３と、移動体通信端末２から返送された信号を受信する信号受信部１４と、信号受信部１４が受信した信号の波形データを解析する信号解析部１５と、表示部１７と、該解析の結果を可視化して表示部１７に表示させる表示制御部１６とで構成される。以下に各部の詳細について説明する。
【００２３】
操作部１０は、試験者が測定の条件の設定や試験の実行を指示するためのインタフェースである。試験者は、操作部１０から、移動体通信端末２からの信号のＥＶＭに関する測定の条件としての移動体通信端末２が送信する信号の送信チャネル幅（１．４ＭＨｚ、３ＭＨｚ、５ＭＨｚ、１０ＭＨｚ、１５ＭＨｚ、又は、２０ＭＨｚ）や、送信チャネル内において移動体通信端末２に割り当てる帯域を設定する。
【００２４】
制御部１１は、操作部１０で指定された移動体通信端末２に割当てる帯域から割当帯域（ＲＢ）を特定する。なお、送信チャネル内で同時に利用可能なＲＢの数は送信チャネル幅により異なる。例えば、送信チャネル幅が２０ＭＨｚの場合、同時に利用可能なＲＢの数は１００となる。同様に、送信チャネル幅が１０ＭＨｚの場合、同時に利用可能なＲＢの数は５０となる。本件は、３ＧＰＰの規格により定められている。
【００２５】
また制御部１１は、操作部１０で指定された送信チャネル幅と特定した割当帯域を基に、移動体通信端末２が指定された送信チャネル幅及び割当帯域に従い試験信号を送信するための制御情報を作成する。この制御情報は、ＤＣＩ（Ｄｏｗｎｌｉｎｋ  Ｃｏｎｔｒｏｌ  Ｉｎｆｏｒｍａｔｉｏｎ：ダウンリンク制御情報）と呼ばれ、送信チャネル幅、移動体通信端末に割り当てられたカレントブロック（つまり割当帯域）、変調方式、伝送レートを示す情報等の伝送情報が含まれている。
【００２６】
制御部１１は、送信チャネル幅及び割当帯域の情報を含むＤＣＩを測定条件として設定値記憶部１１０に記憶する。制御部１１は、信号送信部１２、信号受信部１４、及び、信号解析部１５に該測定条件を送信するとともに、各部の動作を制御する。信号送信部１２、信号受信部１４、及び、信号解析部１５については後述する。
【００２７】
信号送信部１２は、移動体通信端末２が試験信号を送信するための制御情報を移動体通信端末２に送信する送信手段１２１と、送信手段１２１の動作を制御する送信制御手段１２０とで構成される。
【００２８】
送信制御手段１２０は、制御部１１からの指示を受け、操作部１０からＤＣＩを受信し、該ＤＣＩを移動体通信端末２に送信するように、送信手段１２１に指示する。
【００２９】
送信手段１２１は、送信制御手段１２０の指示を受け、該ＤＣＩを送信信号（搬送波）に乗せて、後述する方向性結合器１３を介して移動体通信端末２に送信する。移動体通信端末２は、送信手段１２１から受信した送信信号に含まれる該ＤＣＩに基づいて、該ＤＣＩで指定された送信チャネル及び割当帯域に従って、試験信号を移動体通信端末試験装置１に送信する。
【００３０】
方向性結合器１３は、送信手段１２１からの試験信号を移動体通信端末２に伝送する。また、方向性結合器１３は、移動体通信端末２から送信された試験信号を受信手段１４０に伝送する。
【００３１】
信号受信部１４は、移動体通信端末２から返送される試験信号を受信しディジタル信号のデータ（以下「波形データ」と呼ぶ）に変換する受信手段１４０と、波形データを記憶する波形メモリ１４１とで構成される。
【００３２】
受信手段１４０は、制御部１１から測定条件として送信チャネル幅及び割当帯域を受け、受信周波数を制御する。これにより、受信手段１４０の受信周波数が、移動体通信端末２から出力される試験信号の搬送周波数と等しくなるように制御される。
【００３３】
受信手段１４０は、周波数変換手段、Ａ／Ｄ変換手段、直交復調手段及び信号波形記憶手段で構成される。この受信手段１４０は、移動体通信端末２から、直交周波数分割多重によるディジタル通信信号であって、図７に係るデータフォーマットのフレームを有する変調信号で変調されたディジタル通信信号を受けて、周波数変換手段によりディジタル通信信号の周波数を中間周波数の信号に変換する。Ａ／Ｄ変換手段は中間周波数の信号をディジタルデータに変換する。そして、直交復調手段は、ＩとＱの互いに直交するデータに分離して（以下、それぞれを「Ｉデータ」、「Ｑデータ」と言うことがある。）、復調する。そして、ディジタルの復調データを受信の時間経過に対応させて波形メモリ１４１に記憶させる。
【００３４】
波形メモリ１４１は、受信手段１４０から出力される移動体通信端末２からの試験信号の波形データを記憶する。なお、この波形メモリ１４１は、例えばデータの書き込みとデータの読出しとが独立に行なえる構造のものである。
【００３５】
波形メモリ１４１に記憶された波形データは、信号解析部１５によって読み出され解析される。信号解析部１５は、波形メモリ１４１から波形データを読出し信号処理を施す信号処理部１５０と、波形データを解析し移動体通信端末２からの信号の送信電力又はＥＶＭを測定する測定手段１５１と、解析結果を記憶する解析結果メモリ１５２とで構成される。
【００３６】
復調データは、いわば図７の変調データと同様のフレームのデータフォーマットであり、そのフォーマットの時間位置の順に取得されるが、フレームは次から次と到来するので、そのままでは、そのフレームの位置が不明瞭である。
【００３７】
そこで、信号処理部１５０における同期処理部１５０２において、波形メモリ１４１から読出された復調データに含まれる第１の同期信号Ｐ−ＳＳ、及び第２の同期信号Ｓ−ＳＳのいずれかもしくは双方を用いて、復調データと同期をとる。つまり、復調データのフレーム位置、例えば、その先頭位置を知ることができる。
【００３８】
信号処理部１５０は、同期処理部１５０２の処理結果を基にフレームの先頭位置を特定し、１スロット内に含まれる時間方向のシンボルそれぞれのシンボル番号（以下「時間方向のシンボル番号」と呼ぶ）を特定する。また信号処理部１５０は、時間方向のシンボル番号を特定したら、時間方向のシンボルそれぞれに対応する周波数方向のシンボルそれぞれのシンボル番号（以下「周波数方向のシンボル番号」と呼ぶ）を特定する。時間方向のシンボル番号と周波数方向のシンボル番号により、個々のシンボルを特定することが可能となる。
【００３９】
ＦＦＴ処理部１５０１は、フレーム位置を知ることができるので、例えば、少なくともフレームの先頭位置からの１サブフレーム（２スロット、Ｔ＝１ｍｓ）単位で、波形メモリ１４１から読出された復調データをＦＦＴ処理して、時間領域データを周波数領域データに変換し、更にＩＤＦＴ処理を施し、周波数領域のデータに含まれる各周波数成分を時間領域のデータ（周波数方向のシンボル）に変換したうえで、測定手段１５１に送る。ＦＦＴ処理は、図７のような復調データであるとしたとき、図７（ｂ）の各時間方向のシンボルにおけるデータ毎に行われ、そのときの、各周波数成分を出力する。少なくともカレントブロックを構成する周波数範囲（上記のＦ〜Ｆ＋ｎΔＦ）の成分（帯域はｎΔＦ、つまりＲＢの帯域のｎ倍である。ｎは１，２，３，・・・の整数である。）を含む成分を出力する。また、ＩＤＦＴ処理はＦＦＴ処理により出力された各周波数成分におけるデータ毎に行われ、各周波数成分に対応する周波数方向のシンボルごとのデータを出力する。
【００４０】
測定手段１５１は、同時に利用可能な周波数方向のシンボルごとにＥＶＭを測定する。測定手段１５１は、ＥＶＭを次のようにして測定する。時間方向のシンボルそれぞれに対応する周波数方向のシンボルごとに、ＩＱ平面上において、理想の信号とＦＦＴ処理部１５０１の出力（ＩデータとＱデータ）とのベクトルの差を算出する。
【００４１】
例えば、Ｔｋ時間の時間方向のシンボル及びサブキャリア周波数に対応する周波数方向のシンボルＦｈについての理想信号のベクトル（ＩＱ平面でのベクトル）をＲ（Ｔｋ、Ｆｈ）で表し、そのＴｋ時間のシンボル及びサブキャリア周波数に対応する周波数方向のシンボルＦｈのときの復調データにおけるベクトルをＭ（Ｔｋ、Ｆｈ）で表したときに、１シンボルにおけるＥＶＭは次の式で示される。
｛Ｍ（Ｔｋ、Ｆｈ）―Ｒ（Ｔｋ、Ｆｈ）｝２
【００４２】
解析結果メモリ１５２は、測定手段１５１で測定されたシンボル単位のＥＶＭの測定値を、各シンボルのシンボル番号（時間方向のシンボル番号及び周波数方向のシンボル番号）とともに記憶する記憶領域である。解析結果メモリ１５２は、各測定値を記憶するときに、制御部１１から測定条件として送信チャネル幅及び割当帯域を受け、各シンボルのシンボル番号と照合することにより、シンボル単位のＥＶＭの各測定値を、割当帯域を構成するシンボルごとの測定値と、非割当帯域に対応するシンボルごとの測定値とを、例えばそれぞれを識別する情報を付加する等により、それぞれ識別可能に記憶する。
【００４３】
表示部１７は、解析結果メモリ１５２に記憶された解析結果を基に可視化されたグラフを表示する表示手段である。表示部１７に表示されるグラフは、後述する表示制御部１６により生成される。
【００４４】
表示制御部１６は、解析結果メモリ１５２に記憶された、シンボル単位のＥＶＭの測定値を、グラフとして可視化し表示部１７に表示させる。表示制御部１６は、まず、シンボル単位のＥＶＭの測定値を表示させるための座標系を作成し、表示部１７に表示させる。
【００４５】
図３にはシンボル単位のＥＶＭの測定結果の表示例が示されている。図３に示すように、表示制御部１６は、横軸を周波数方向のシンボル（以下「Ｄｅｍｏｄ  Ｓｙｍｂｏｌ」と呼ぶ場合がある）とし、縦軸をＥＶＭとする座標系（以下「第１の座標系」と呼ぶ）を作成する。また第１の座標系では全シンボルの結果を表示することができない。そのため、表示制御部１６は、横軸を時間方向のシンボル（以下「ＳＣ−ＦＤＭＡ  ｓｙｍｂｏｌ」と呼ぶ場合がある）、縦軸をＥＶＭとする座標系（以下「第２の座標系」と呼ぶ）を作成する。第１の座標系と第２の座標系をあわせて表示することにより、第１の座標系で指定した横軸の位置（Ｄｅｍｏｄ  Ｓｙｍｂｏｌ）と、第２の座標系で指定した横軸の位置（ＳＣ−ＦＤＭＡ  ｓｙｍｂｏｌ）とにより、それぞれのシンボルを特定することが可能となる。
【００４６】
なお表示制御部１６は、第１の座標系の横軸の表示範囲を同時に利用可能な周波数方向のシンボル（Ｄｅｍｏｄ  Ｓｙｍｂｏｌ）の範囲とする。例えば、図３に示した例は送信チャネル幅が２０ＭＨｚの場合を示しており、同時に利用可能なＲＢの数は１００である。そのため、周波数方向のシンボルの数は、（ＲＢあたりの周波数方向のシンボルの数：１２）×（ＲＢの数：１００）＝１２００となり、第１の座標系の横軸の範囲は０〜１１９９となる。また、表示制御部１６は、第２の座標系の横軸の表示範囲を、１スロットを構成する時間方向のシンボル（ＳＣ−ＦＤＭＡ  ｓｙｍｂｏｌ）の範囲とする。１スロットを構成する時間方向のシンボルの数は７であるため、第２の座標系の横軸の範囲は０〜７となる。
【００４７】
また表示制御部１６は、第１の座標系及び第２の座標系の縦軸の表示範囲として、例えば下端を０％としたうえで、ＲＢそれぞれのＥＶＭを表示可能な範囲として上端を決定する。このとき、解析結果メモリ１５２に記憶された測定値を基に上端を決定してもよいし、固定値として決定してもよい。以降では、縦軸の上端を５０％の固定値とするものとして説明する。
【００４８】
なお上記では、各軸の表示範囲を表示制御部１６が自動的に決定するものとして説明しているが、表示操作部（図示しない）を設け、該表示操作部からの試験者による操作により表示範囲を変更可能としてもよい。
【００４９】
表示制御部１６は、座標系を作成したら、該座標系上に各ＲＢに対応する測定値をグラフとして表示させる。具体的には、表示制御部１６は、シンボル単位のＥＶＭの測定値を表示させる場合、シンボル単位のＥＶＭの測定値を第１の座標系上に周波数方向のシンボル（Ｄｅｍｏｄ  Ｓｙｍｂｏｌ）ごとに表示し、第２の座標系に時間方向のシンボル（ＳＣ−ＦＤＭＡ  Ｓｙｍｂｏｌ）ごとに表示する。
【００５０】
このとき表示制御部１６は、第１の座標系に表示した測定値と第２の座標系に表示した測定値とをリンクさせる。このとき表示制御部１６は、所定のシンボルを基準として第１の座標系上及び第２の座標系上にシンボルごとのＥＶＭの測定値を表示させる。なお、前記所定のシンボルは、表示操作部（図示しない）から操作者により指定されたシンボルでも良いし、表示制御部１６が設定した特定のシンボル番号のシンボルでも良い。
【００５１】
例えば、時間方向のシンボル番号２とし周波数方向のシンボル番号２７９に該当するシンボルがマークされているものとして、測定結果を表示するものとする。この場合、第１の座標系上には、１スロット内の時間方向のシンボルのシンボル番号２に該当する周波数方向のシンボルの測定結果を、横軸の位置を周波数方向のシンボル（Ｄｅｍｏｄ  Ｓｙｍｂｏｌ）の位置とし、縦軸の位置を各周波数方向のシンボルのＥＶＭの測定値として測定結果を表示させる。このとき、第２の座標系上には、周波数方向のシンボルのシンボル番号２７９に該当する時間方向のシンボルの測定結果を、横軸の位置を時間方向のシンボルの位置とし、縦軸の位置を各時間方向のシンボルのＥＶＭの測定値の位置として表示させる。
【００５２】
表示制御部１６は、ＥＶＭの測定値を座標系上に表示させる場合、各測定値に付された割当帯域と非割当帯域とを識別する識別子を基に、割当帯域に該当する測定値と、非割当帯域に該当する測定値とを区別して表示方法を変更する。
【００５３】
例えば、表示制御部１６は、割当帯域に該当するシンボルの測定結果のみを各座標系上に表示するようにしてもよい。図４は、シンボル単位のＥＶＭの測定結果として、割当帯域に該当するシンボルにおける測定値のみを表示した場合の表示例である。
【００５４】
割当帯域の測定結果のみを表示する場合は、測定手段１５１は、非割当帯域に該当するシンボルの測定に係る処理を省略し、割当帯域の測定結果のみを解析結果メモリ１５２に記憶するようにしても良い。このとき、表示制御部１６は、解析結果メモリ１５２に記憶された割当帯域に該当するシンボルの測定値のみを読出し、測定結果を表示することになる。
【００５５】
また、表示制御部１６は、割当帯域に該当するシンボルの測定値のグラフと、非割当帯域に該当するシンボルの測定値のグラフとのうち、少なくともいずれか一方に色を付けることで、それぞれを識別可能に表示するようにしてもよい。図５は、シンボル単位のＥＶＭの測定結果として、割当帯域に該当するシンボルにおける測定値のグラフと、非割当帯域に該当するシンボルにおける測定値のグラフとを色分けして表示した場合の表示例である。
【００５６】
また、表示制御部１６は、割当帯域に該当するシンボルの測定値のグラフを表示する領域と、非割当帯域に該当するシンボルの測定値のグラフを表示する領域とのうち、少なくともいずれか一方に色を付けることで、それぞれを識別可能に表示するようにしてもよい。図６は、シンボル単位のＥＶＭの測定結果として、割当帯域に該当するシンボルにおける測定値のグラフを表示する領域と、非割当帯域に該当するシンボルにおける測定値のグラフを表示する領域とを色分けして表示した場合の表示例である。
【００５７】
（処理）
次に、移動体通信端末試験装置１における、移動体通信端末２からの信号のＥＶＭの測定結果の表示に係る処理について、図２を参照しながら具体的に説明する。図２は、移動体通信端末試験装置１の処理を示すフローチャートである。
【００５８】
（ステップＳ１）
まず、制御部１１は、試験者が指定した送信チャネル幅及び移動体通信端末２に割当てる帯域を操作部１０から受けて、割当帯域（ＲＢ）を特定し、該送信チャネル幅及び該割当帯域を基にＤＣＩを作成し、作成したＤＣＩを測定条件として設定値記憶部１１０に記憶させる。設定値記憶部１１０に記憶された測定条件は、制御部１１により、信号送信部１２、信号受信部１４、及び、信号解析部１５の各部が動作するタイミングにあわせて送信される。また、制御部１１は、信号送信部１２にＤＣＩを送信し、移動体通信端末２に該ＤＣＩを含む信号の送信を指示する。信号送信部１２は、制御部１１からの指示に従い送信信号を送信し、移動体通信端末２は、信号送信部１２からの送信信号に含まれるＤＣＩを基に、ＤＣＩで指定された送信チャネル幅及び割当帯域に従い試験信号を信号受信部１４に送信する。
【００５９】
（ステップＳ２）
次に、信号受信部１４は、移動体通信端末２からの試験信号を受信し、中間周波数の信号に変換したうえで、ディジタルデータに変換し、直交復調したうえで波形データとして波形メモリ１４１に記憶させる。このステップＳ１及びステップＳ２が送信ステップ及び波形データ出力ステップに相当する。
【００６０】
（ステップＳ３）
波形メモリ１４１に記憶された波形データは、信号処理部１５０により読出される。信号処理部１５０は、読出した波形データを信号処理することで、測定対象となる信号のフレーム位置と各ＲＢ及び各シンボルのシンボル番号（時間方向のシンボル番号及び周波数方向のシンボル番号）を特定する。測定手段１５１は、信号処理部１５０の信号処理結果を受けて、ＲＢを構成するシンボルごとのＥＶＭを測定し、各測定結果を解析結果メモリ１５２に記憶させる。このステップＳ３が測定ステップに相当する。
【００６１】
解析結果メモリ１５２は、測定手段１５１からの各測定結果を記憶するときに、制御部１１から測定条件として送信チャネル幅及び割当帯域を受け、シンボル単位のＥＶＭの測定値を、割当帯域を構成するシンボルの測定値と、非割当帯域を構成するシンボルの測定値とを、それぞれを識別する情報を付加する等により、それぞれ識別可能に記憶する。
【００６２】
（ステップＳ４）
次に、表示制御部１６は、座標系を作成し表示部１７に表示させる。具体的には表示制御部１６は、該座標系として、横軸を周波数方向のシンボル（Ｄｅｍｏｄ  Ｓｙｍｂｏｌ）とし縦軸をＥＶＭとする第１の座標系と、横軸を時間方向のシンボル（ＳＣ−ＦＤＭＡ  ｓｙｍｂｏｌ）とし縦軸をＥＶＭとする第２の座標系とを表示させる。このステップＳ４が座標表示ステップに相当する。
【００６３】
（ステップＳ５）
次に、表示制御部１６は、解析結果メモリ１５２に記憶されたシンボル単位のＥＶＭの測定値をグラフとして該座標系上に表示させる。このステップＳ５が測定値表示ステップに相当する。
【００６４】
具体的には、表示制御部１６は、シンボル単位のＥＶＭの測定値を、第１の座標系上と第２の座標系上に表示させる。このとき表示制御部１６は、第１の座標系上に、１スロット内の所定の時間方向のシンボル（例えば、シンボル番号２に相当するシンボル）に該当する周波数方向のシンボルの測定結果を、横軸の位置を周波数方向のシンボル（Ｄｅｍｏｄ  Ｓｙｍｂｏｌ）の位置とし、縦軸の位置を各周波数方向のシンボルのＥＶＭの測定値として測定結果を表示させる。また表示制御部１６は、第２の座標系上に、所定の周波数方向のシンボル（例えば、シンボル番号２７９に相当するシンボル）に該当する時間方向のシンボルの測定結果を、横軸の位置を時間方向のシンボル（ＳＣ−ＦＤＭＡ  Ｓｙｍｂｏｌ）、縦軸の位置を各時間方向のシンボルのＥＶＭの測定値の位置として測定結果を表示させる。
【００６５】
このとき表示制御部１６は、各測定値に付された割当帯域と非割当帯域とを識別する識別子を基に、割当帯域に該当する測定値と、非割当帯域に該当する測定値とを区別して表示方法を変更する。
【００６６】
具体的には、図４に示すように表示制御部１６が、割当帯域に該当するシンボルの測定結果のみを各座標系上に表示させるようにしても良い。また、図５に示すように表示制御部１６が、割当帯域に該当するシンボルの測定値のグラフと、非割当帯域に該当するシンボルの測定値のグラフとのうち、少なくともいずれか一方に色を付けることで、それぞれを識別可能に表示するようにしてもよい。また、図６に示すように表示制御部１６が、割当帯域に該当するシンボルの測定値のグラフを表示する領域と、非割当帯域に該当するシンボルの測定値のグラフを表示する領域とのうち、少なくともいずれか一方に色を付けることで、それぞれを識別可能に表示するようにしてもよい。
【００６７】
なお、ステップＳ４とステップＳ５で、表示制御部１６は、座標系と測定値を個々に表示しているが、ステップＳ４で座標系の表示データを準備し、ステップＳ５で測定値の表示データを準備した後に、表示部１７に座標系と測定値とを一度に表示すようにしても良い。
【００６８】
また、上記はシンボルごとのＥＶＭの測定を例に割当帯域における測定結果と非割当帯域における測定結果を識別可能に表示する場合を例に説明したが、ＲＢごとの送信電力の測定についても同様に測定結果を表示することが可能である。この場合、表示制御部１６が、制御部１１から測定条件として送信チャネル幅と割当帯域（ＲＢ）の情報を受信し、ＲＢごとの送信電力の測定値を、割当帯域における測定値と非割当帯域における測定値とに分けて表示すると良い。
【００６９】
以上により、試験者は、表示されたグラフから割当帯域の測定値に該当する部分を容易に識別することが可能となり、測定結果の良否を容易に判断することが可能となる。
【符号の説明】
【００７０】
１  移動体通信端末試験装置    ２  移動体通信端末
１０  操作部    １１  制御部    １２  信号送信部    １３  方向性結合器
１４  信号受信部    １５  信号解析部    １６  表示制御部    １７  表示部
１１０  設定値記憶部    １２０  送信制御手段    １２１  送信手段
１４０  受信手段    １４１  波形メモリ
１５０  信号処理部    １５０１  ＦＦＴ処理部    １５０２  同期処理部
１５１  測定手段    １５２  解析結果メモリ
【図１】
2011130086.tif 000003
【図２】
2011130086.tif 000004
【図３】
2011130086.tif 000005
【図４】
2011130086.tif 000006
【図５】
2011130086.tif 000007
【図６】
2011130086.tif 000008
【図７】
2011130086.tif 000009